(57)【特許請求の範囲】
【請求項１】
電源に接続される入力端子と、
直流負荷に接続される出力端子と、
前記入力端子と前記出力端子との間に設けられたノーマリオン形のスイッチング素子を有し、前記スイッチング素子のスイッチングにより、前記電源から供給される電源電圧を直流電圧に変換し、前記直流電圧を前記直流負荷に供給する電力変換部と、
前記電力変換部と前記出力端子との間に設けられ、前記直流負荷に流れる電流の検出に用いられる電流検出抵抗と、
を備え、
前記電流検出抵抗の耐熱温度は、前記スイッチング素子の耐熱温度よりも低く、
前記電流検出抵抗は、前記スイッチング素子に流れる電流が所定値以上になった場合に、熱的に破壊され、前記スイッチング素子及び前記直流負荷に流れる電流を遮断する電源装置。
【請求項２】
前記電力変換部は、前記スイッチング素子に直列に接続されたインダクタと、前記インダクタと磁気結合するとともに前記スイッチング素子の制御端子に接続される駆動巻線と、を有し、
前記インダクタ及び前記駆動巻線の少なくとも一方は、前記スイッチング素子と熱的に結合し、前記スイッチング素子に流れる電流が前記所定値以上になった場合に、層間短絡を起こし、前記スイッチング素子をオン状態に保持する請求項１記載の電源装置。
【請求項３】
前記インダクタ及び前記駆動巻線の前記少なくとも一方の耐熱温度は、前記スイッチング素子の耐熱温度よりも低く、
前記電流検出抵抗の耐熱温度は、前記インダクタ及び前記駆動巻線の前記少なくとも一方の耐熱温度よりも低い請求項２記載の電源装置。
【請求項４】
電源に接続される入力端子と、
直流負荷に接続される出力端子と、
前記入力端子と前記出力端子との間に設けられたノーマリオン形のスイッチング素子と、前記スイッチング素子に直列に接続されたインダクタと、を有し、前記スイッチング素子のスイッチングにより、前記電源から供給される電源電圧を直流電圧に変換し、前記直流電圧を前記直流負荷に供給する電力変換部と、
を備え、
前記インダクタの耐熱温度は、前記スイッチング素子の耐熱温度よりも低く、
前記インダクタは、前記スイッチング素子に流れる電流が所定値以上になった場合に、熱的に破壊され、前記スイッチング素子及び前記直流負荷に流れる電流を遮断する電源装置。
【請求項５】
照明負荷と、
前記照明負荷に電力を供給する請求項１〜４のいずれか１つに記載の電源装置と、
を備えた照明装置。
【発明の詳細な説明】
【技術分野】
【０００１】
本発明の実施形態は、電源装置及び照明装置に関する。
【背景技術】
【０００２】
スイッチング素子のスイッチングにより、電力を変換して負荷に供給する電源装置がある。電源装置は、例えば、照明装置に用いられている。照明装置は、電源装置と照明負荷とを備え、電源装置から照明負荷に電力を供給することにより、照明負荷を点灯させる。こうした電源装置において、スイッチング素子にワイドバンドギャップ半導体を用いることが進められている。ワイドバンドギャップ半導体を用いたスイッチング素子では、例えば、高周波特性を向上させることができる。
【０００３】
ワイドバンドギャップ半導体を用いたスイッチング素子は、ノーマリオン特性である場合が多い。
【０００４】
しかしながら、ノーマリオン形のスイッチング素子では、スイッチング素子の動作に異常が発生した場合に、回路に電流が流れ続け、異常発熱などを引き起こしてしまう恐れがある。このため、ノーマリオン形のスイッチング素子を用いた電源装置では、異常時にスイッチング素子に電流が流れ続けてしまうことを抑制することが望まれる。
【先行技術文献】
【特許文献】
【０００５】
【特許文献１】特開２０１１−１１９２３７号公報
【特許文献２】特開２０１１−１９９０２４号公報
【特許文献３】特開２０１２−０３４５６９号公報
【発明の概要】
【発明が解決しようとする課題】
【０００６】
異常時にスイッチング素子に電流が流れ続けてしまうことを抑制できる電源装置及び照明装置を提供することを目的とする。
【課題を解決するための手段】
【０００７】
本発明の実施形態によれば、入力端子と、出力端子と、電力変換部と、電流検出抵抗と、を備えた電源装置が提供される。前記入力端子は、電源に接続される。前記出力端子は、直流負荷に接続される。前記電力変換部は、前記入力端子と前記出力端子との間に設けられたノーマリオン形のスイッチング素子を有し、前記スイッチング素子のスイッチングにより、前記電源から供給される電源電圧を直流電圧に変換し、前記直流電圧を前記直流負荷に供給する。前記電流検出抵抗は、前記電力変換部と前記出力端子との間に設けられ、前記直流負荷に流れる電流の検出に用いられる。前記電流検出抵抗の耐熱温度は、前記スイッチング素子の耐熱温度よりも低い。前記電流検出抵抗は、前記スイッチング素子に流れる電流が所定値以上になった場合に、熱的に破壊され、前記スイッチング素子及び前記直流負荷に流れる電流を遮断する。
【発明の効果】
【０００８】
本発明の実施形態によれば、スイッチング素子に流れる電流が所定値以上になった場合に、電流検出抵抗が熱的に破壊され、スイッチング素子及び直流負荷に流れる電流を遮断する。これにより、ノーマリオン形のスイッチング素子を用いた場合にも、異常時にスイッチング素子に電流が流れ続けてしまうことを抑制することができる。
【図面の簡単な説明】
【０００９】
【図１】第１の実施形態に係る照明装置を模式的に表すブロック図である。
【図２】第１の実施形態に係る電源装置を模式的に表す回路図である。
【図３】第１の実施形態に係る電源装置の動作の一部を模式的に表すフローチャート図である。
【図４】図４（ａ）及び図４（ｂ）は、第１の実施形態に係る電源装置の一部を表す模式図である。
【図５】第２の実施形態に係る電源装置の一部を模式的に表す断面図である。
【図６】第２の実施形態に係る電源装置の動作の一部を模式的に表すフローチャート図である。
【図７】図７（ａ）〜図７（ｃ）は、第２の実施形態に係る電源装置の一部を模式的に表す断面図である。
【図８】第３の実施形態に係る電源装置の動作の一部を模式的に表すフローチャート図である。
【発明を実施するための形態】
【００１０】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１１】
（第１の実施形態）  
［第１の実施形態の構成］
図１は、第１の実施形態に係る照明装置を模式的に表すブロック図である。  
図１に表したように、照明装置１０は、照明負荷１２（直流負荷）と、電源装置１４と、を備える。照明負荷１２は、例えば、発光ダイオード（Light-emitting diode：ＬＥＤ）などの照明光源１６を有する。照明光源１６は、例えば、有機発光ダイオード（Organic light-emitting diode：ＯＬＥＤ）などでもよい。照明光源１６には、例えば、順方向降下電圧を有する発光素子が用いられる。照明負荷１２は、電源装置１４からの出力電圧の印加及び出力電流の供給により、照明光源１６を点灯させる。出力電圧及び出力電流の値は、照明光源１６に応じて規定される。
【００１２】
電源装置１４は、交流電源２及び調光器３と接続されている。なお、本願明細書において、「接続」とは、電気的な接続を意味し、物理的に接続されていない場合や他の要素を介して接続されている場合も含むものとする。また、トランスなどを介して磁気的に接続されている場合や、フォトカプラなどを介して光学的に接続されている場合も、「接続」に含むものとする。
【００１３】
交流電源２は、例えば、商用電源である。調光器３は、交流電源２の交流の電源電圧ＶＩＮから導通角制御した交流電圧ＶＣＴを生成する。電源装置１４は、調光器３から供給される交流電圧ＶＣＴを直流電圧に変換して照明負荷１２に出力することにより、照明光源１６を点灯させる。また、電源装置１４は、導通角制御された交流電圧ＶＣＴに同期して、照明光源１６の調光を行う。なお、調光器３は、必要に応じて設けられ、省略可能である。調光器３が設けられていない場合には、交流電源２の電源電圧ＶＩＮが、電源装置１４に供給される。
【００１４】
調光器３の導通角制御には、例えば、交流電圧のゼロクロスから交流電圧の絶対値が最大値となる期間において導通する位相を制御する位相制御（leading edge）の方式と、交流電圧の絶対値が最大値となってから交流電圧がゼロクロスする期間において遮断する位相を制御する逆位相制御（trailing edge)の方式とがある。
【００１５】
位相制御する調光器３は、回路構成が簡単であり、比較的大きな電力負荷を扱うことができる。しかし、トライアックが使用されている場合は、軽負荷動作が困難で、電源電圧が一時的に低下するいわゆる電源ディップが発生すると不安定動作に陥りやすい。また、容量性負荷を接続した場合は、突入電流が発生するため容量性負荷との相性が悪いなどの特徴がある。
【００１６】
一方、逆位相制御する調光器３は、軽負荷でも動作可能であり、容量性負荷を接続しても突入電流が発生せず、また電源ディップが発生しても動作が安定である。しかし、回路構成が複雑であり、温度が上昇し易いため、重負荷に向かない。また、誘導性負荷を接続した場合は、サージが発生するなどの特徴がある。
【００１７】
本実施形態では、調光器３として、電源電圧ＶＩＮを供給する一対の電源ラインの一方の端子４、６間に直列に挿入された構成を例示しているが、他の構成でもよい。
【００１８】
電源装置１４は、電力変換部２０と、電流検出抵抗２１と、制御部２２と、制御用電源部２３と、電流調整部２４と、フィードバック回路２５と、を含む。また、電源装置１４は、一対の入力端子４、５と、各入力端子４、５に接続された第１電源供給経路２６ａと、を含む。電源装置１４は、各入力端子４、５を介して交流電源２又は調光器３に接続される。
【００１９】
電力変換部２０は、ＡＣ−ＤＣコンバータ２０ａと、ＤＣ−ＤＣコンバータ２０ｂと、を含む。ＡＣ−ＤＣコンバータ２０ａは、第１電源供給経路２６ａに接続されている。ＡＣ−ＤＣコンバータ２０ａは、第１電源供給経路２６ａを介して供給される交流電圧ＶＣＴを第１直流電圧ＶＤＣ１に変換する。
【００２０】
ＤＣ−ＤＣコンバータ２０ｂは、第２電源供給経路２６ｂを介してＡＣ−ＤＣコンバータ２０ａと接続されている。また、ＤＣ−ＤＣコンバータ２０ｂは、照明負荷１２と接続されている。ＤＣ−ＤＣコンバータ２０ｂは、第２電源供給経路２６ｂから供給される第１直流電圧ＶＤＣ１を照明負荷１２に応じた所定の電圧値の第２直流電圧ＶＤＣ２に変換して照明負荷１２に供給する。第２直流電圧ＶＤＣ２の絶対値は、第１直流電圧ＶＤＣ１の絶対値と異なる。第２直流電圧ＶＤＣ２の絶対値は、例えば、第１直流電圧ＶＤＣ１の絶対値よりも低い。この例において、ＤＣ−ＤＣコンバータ２０ｂは、降圧型のコンバータである。第２直流電圧ＶＤＣ２の供給により、照明負荷１２の照明光源１６が点灯する。
【００２１】
このように、電力変換部２０は、第１電源供給経路２６ａ及び照明負荷１２に接続され、第１電源供給経路２６ａから供給された電力を照明負荷１２に応じた直流電力に変換し、直流電力を照明負荷１２に供給する。この例では、電力変換部２０が、交流電源２又は調光器３から供給された交流電力を直流電力に変換している。この場合、例えば、ＡＣ−ＤＣコンバータ２０ａから出力された直流電力を照明負荷１２に供給してもよい。例えば、直流電源から供給された直流電力を、異なる直流電力に変換してもよい。この場合、ＡＣ−ＤＣコンバータ２０ａは、省略される。電力変換部２０は、例えば、ＡＣ−ＤＣコンバータ２０ａ及びＤＣ−ＤＣコンバータ２０ｂの少なくとも一方を含んでいればよい。
【００２２】
電流検出抵抗２１は、照明負荷１２に対して直列に接続される。電流検出抵抗２１は、照明負荷１２と電力変換部２０との間に設けられる。電流検出抵抗２１は、電力変換部２０及び照明負荷１２に流れる電流の検出に用いられる。
【００２３】
制御用電源部２３は、第１電源供給経路２６ａに接続された配線部２７を有する。配線部２７は、入力端子４に接続された配線２７ａと、入力端子５に接続された配線２７ｂと、を含む。制御用電源部２３は、配線部２７を介して入力される交流電圧ＶＣＴを制御部２２に応じた直流の駆動電圧ＶＤＤに変換し、その駆動電圧ＶＤＤを制御部２２に供給する。配線部２７は、例えば、第２電源供給経路２６ｂに接続してもよい。
【００２４】
電流調整部２４は、第１電源供給経路２６ａに電気的に接続された分岐経路２８を有し、第１電源供給経路２６ａを流れる電流の一部を分岐経路２８に流す導通状態と、流さない非導通状態と、を切り替え可能である。これにより、電流調整部２４は、例えば、第１電源供給経路２６ａに流れる電流を調整する。この例では、電流調整部２４の分岐経路２８が、制御用電源部２３を介して第１電源供給経路２６ａに接続されている。分岐経路２８は、制御用電源部２３を介することなく、第１電源供給経路２６ａに直接接続してもよい。なお、非導通状態には、動作に影響のない微小な電流が分岐経路２８に流れる場合も含む。非導通状態は、例えば、分岐経路２８に流れる電流が、導通状態よりも小さい状態である。分岐経路２８は、例えば、第２電源供給経路２６ｂに接続してもよい。
【００２５】
制御部２２は、交流電圧ＶＣＴの導通角を検出する。制御部２２は、検出した導通角に対応する調光信号ＤＭＳを生成し、その調光信号ＤＭＳをフィードバック回路２５に入力する。また、制御部２２は、検出した導通角に応じて制御信号ＣＧＳを生成し、その制御信号ＣＧＳを電流調整部２４に入力することにより、電流調整部２４の導通状態と非導通状態との間の切り替えを制御する。このように、制御部２２は、検出した導通角に応じて電流調整部２４とフィードバック回路２５とを制御することにより、調光器３の導通角制御に同期して、照明光源１６を調光する。制御部２２には、例えば、マイクロプロセッサが用いられる。制御部２２は、１つのプロセッサで構成してもよいし、複数のプロセッサを組み合わせて構成してもよい。
【００２６】
フィードバック回路２５は、電流検出抵抗２１の電圧を基に、照明負荷１２（照明光源１６）に流れる電流を検出する。フィードバック回路２５は、制御部２２から入力された調光信号ＤＭＳと検出した電流とを基に、ＤＣ−ＤＣコンバータ２０ｂをフィードバック制御する。フィードバック回路２５は、例えば、照明負荷１２に実質的に一定の電流が流れるように、ＤＣ−ＤＣコンバータ２０ｂをフィードバック制御する。例えば、照明光源１６に過電流か過電流が流れている場合に、電流を小さくするようにＤＣ−ＤＣコンバータ２０ｂをフィードバック制御する。これにより、フィードバック回路２５は、照明光源１６に過電流が流れることを抑制する。
【００２７】
電流検出抵抗２１及びフィードバック回路２５は、電源装置１４の低電位側の出力端子８に接続される。すなわち、電流検出抵抗２１及びフィードバック回路２５は、照明負荷１２の低電位側の端部に接続される。
【００２８】
図２は、第１の実施形態に係る電源装置を模式的に表す回路図である。  
図２に表したように、ＡＣ−ＤＣコンバータ２０ａは、整流回路３０と、平滑コンデンサ３２と、インダクタ３４と、フィルタコンデンサ３６と、を有する。
【００２９】
整流回路３０は、例えば、ダイオードブリッジである。整流回路３０の入力端子３０ａ、３０ｂは、一対の入力端子４、５に接続されている。整流回路３０の入力端子３０ａ、３０ｂには、調光器３を介して位相制御または逆位相制御された交流電圧ＶＣＴが入力される。整流回路３０は、例えば、交流電圧ＶＣＴを全波整流し、全波整流後の脈流電圧を高電位端子３０ｃと低電位端子３０ｄとの間に生じさせる。
【００３０】
平滑コンデンサ３２は、整流回路３０の高電位端子３０ｃと低電位端子３０ｄとの間に接続されている。平滑コンデンサ３２は、整流回路３０によって整流された脈流電圧を平滑化する。これにより、平滑コンデンサ３２の両端には、第１直流電圧ＶＤＣ１が現れる。
【００３１】
インダクタ３４は、入力端子４に直列に接続されている。インダクタ３４は、例えば、第１電源供給経路２６ａに対して直列に接続される。フィルタコンデンサ３６は、入力端子４、５の間に接続されている。フィルタコンデンサ３６は、例えば、第１電源供給経路２６ａに対して並列に接続される。インダクタ３４及びフィルタコンデンサ３６は、例えば、交流電圧ＶＣＴに含まれるノイズを除去する。
【００３２】
ＤＣ−ＤＣコンバータ２０ｂは、平滑コンデンサ３２の両端に接続される。これにより、第１直流電圧ＶＤＣ１が、ＤＣ−ＤＣコンバータ２０ｂに入力される。ＤＣ−ＤＣコンバータ２０ｂは、第１直流電圧ＶＤＣ１を絶対値の異なる第２直流電圧ＶＤＣ２に変換し、その第２直流電圧ＶＤＣ２を電源装置１４の出力端子７、８に出力する。照明負荷１２は、出力端子７、８に接続されている。照明負荷１２は、電源装置１４から供給された第２直流電圧ＶＤＣ２により、照明光源１６を点灯させる。
【００３３】
ＤＣ−ＤＣコンバータ２０ｂは、出力素子４０（スイッチング素子）、電流制御素子４１、整流素子４２、インダクタ４３、駆動巻線４４、結合コンデンサ４５、分圧抵抗４６、４７、出力コンデンサ４８、及び、バイアス抵抗４９を有している。
【００３４】
出力素子４０及び電流制御素子４１は、例えば電界効果トランジスタ（ＦＥＴ）であり、例えば高電子移動度トランジスタ（High Electron Mobility Transistor：ＨＥＭＴ）であり、ノーマリオン形のスイッチング素子である。出力素子４０及び電流制御素子４１は、例えば、ワイドバンドギャップ半導体を含む。出力素子４０及び電流制御素子４１は、例えば、化合物半導体を含む。より詳しくは、出力素子４０及び電流制御素子４１は、例えば、ＧａＮ（窒化ガリウム）やＳｉＣ（シリコンカーバイド）などの化合物半導体を含む。
【００３５】
出力素子４０は、入力端子４、５と出力端子７、８との間に設けられる。出力素子４０は、入力端子４、５と出力端子７、８との間に直列に接続される。ＤＣ−ＤＣコンバータ２０ｂは、出力素子４０のスイッチングにより、第１直流電圧ＶＤＣ１を第２直流電圧ＶＤＣ２に変換する。すなわち、電力変換部２０は、出力素子４０のスイッチングにより、電源電圧ＶＩＮを第２直流電圧ＶＤＣ２に変換し、第２直流電圧ＶＤＣ２を照明負荷１２に供給する。
【００３６】
電流制御素子４１のドレインは、出力素子４０を介して第２電源供給経路２６ｂに電気的に接続される。電流制御素子４１のソースは、照明負荷１２に電気的に接続される。電流制御素子４１のゲートは、電流制御素子４１のドレイン−ソース間に流れる電流を制御するための制御端子である。
【００３７】
電流制御素子４１は、ドレインとソースとの間に電流が流れる第１状態と、ドレインとソースとの間に流れる電流が第１状態よりも小さい第２状態と、を有する。第１状態は、例えば、オン状態であり、第２状態は、例えば、オフ状態である。第１状態は、オン状態に限らない。第２状態は、オフ状態に限らない。第１状態は、第２状態よりも相対的に流れる電流が大きいような任意の状態でよい。第２状態は、第１状態よりも相対的に流れる電流が小さいような任意の状態でよい。
【００３８】
ノーマリオン形の素子である電流制御素子４１では、ゲートの電位をソースの電位よりも予め定められた値（所定値）以上低下させることで、第１状態から第２状態に変化する。例えば、電流制御素子４１は、ゲートの電位をソースの電位に対して相対的に予め定められた値（所定値）以上負電位にすることにより、オン状態からオフ状態に変化する。
【００３９】
出力素子４０のドレインは、整流回路３０の高電位端子３０ｃに接続される。出力素子４０のソースは、電流制御素子４１のドレインに接続される。出力素子４０のゲート（制御端子）は、結合コンデンサ４５を介して、駆動巻線４４の一端に接続される。駆動巻線４４は、出力素子４０を駆動する。
【００４０】
電流制御素子４１のソースは、インダクタ４３の一端と駆動巻線４４の他端とに接続される。インダクタ４３は、出力素子４０及び電流制御素子４１に対して直列に接続される。電流制御素子４１のゲートには、電流制御素子４１のソース電位を分圧抵抗４６、４７で分圧した電圧が入力される。出力素子４０のゲートと電流制御素子４１のゲートには、それぞれ保護ダイオードが接続される。
【００４１】
バイアス抵抗４９は、出力素子４０のドレインと電流制御素子４１のソースとの間に接続され、分圧抵抗４６、４７に直流電圧を供給する。その結果、電流制御素子４１のゲートには、ソースよりも低い電位が供給される。
【００４２】
インダクタ４３と駆動巻線４４とは、インダクタ４３の一端から他端に増加する電流が流れるとき、出力素子４０のゲートに正極性の電圧が供給される極性で磁気結合している。
【００４３】
整流素子４２は、電流制御素子４１のソースと整流回路３０の低電位端子３０ｄとの間に、低電位端子３０ｄから電流制御素子４１の方向を順方向として接続されている。
【００４４】
この例では、整流素子４２と電流制御素子４１のソースとの間に、半導体素子５０が設けられている。半導体素子５０には、例えば、ＦＥＴやＧａＮ−ＨＥＭＴなどが用いられる。半導体素子５０は、例えば、ノーマリオン形である。半導体素子５０のゲートは、整流回路３０の低電位端子３０ｄに接続される。これにより、半導体素子５０は、オン状態で保持される。
【００４５】
インダクタ４３の他端は、出力端子７に接続される。インダクタ４３は、出力素子４０と出力端子７との間に設けられる。整流回路３０の低電位端子３０ｄは、出力端子８に接続される。出力コンデンサ４８は、出力端子７と出力端子８との間に接続される。照明負荷１２は、出力端子７と出力端子８との間に、出力コンデンサ４８と並列に接続される。
【００４６】
電流検出抵抗２１は、電源装置１４の低電位側の出力端子８と、整流回路３０の低電位端子３０ｄと、の間に設けられる。電流検出抵抗２１は、照明負荷１２の低電位側の端部に接続される。電流検出抵抗２１は、例えば、出力コンデンサ４８の高電位側の端部と、電源装置１４の高電位側の出力端子７（照明負荷１２の高電位側の端部）と、の間に設けてもよい。
【００４７】
電源装置１４は、配線基板１１０（図４（ａ）及び図４（ｂ）参照）をさらに備える。電源装置１４の電力変換部２０、電流検出抵抗２１、制御部２２、制御用電源部２３、電流調整部２４及びフィードバック回路２５などの各部は、配線基板１１０に設けられる。なお、配線基板１１０は、連続した１枚の基板で構成してもよいし、複数の基板を配線などで接続して構成してもよい。
【００４８】
電流検出抵抗２１の定格電力及び放熱条件は、出力素子４０及び照明負荷１２に流れる電流に応じて設定される。電流検出抵抗２１の耐熱温度は、出力素子４０の耐熱温度よりも低いので、例えば、出力素子４０の異常などによって出力素子４０及び照明負荷１２に定格以上の電流が流れた場合、温度の上昇により、出力素子４０よりも先に電流検出抵抗２１が破壊される。電流検出抵抗２１は、熱により開放破壊される。
【００４９】
制御用電源部２３は、整流素子６１〜６３と、抵抗６４と、コンデンサ６５、６６と、レギュレータ６７と、ツェナーダイオード６８と、半導体素子７０と、を有している。
【００５０】
整流素子６１、６２は、例えば、ダイオードである。整流素子６１のアノードは、配線２７ａを介して整流回路３０の高電位端子３０ｃに接続されている。整流素子４２のアノードは、配線２７ｂを介して整流回路３０の低電位端子３０ｄに接続されている。
【００５１】
半導体素子７０には、例えば、ＦＥＴやＧａＮ−ＨＥＭＴなどが用いられる。以下では、半導体素子７０をＦＥＴとして説明を行う。この例において、半導体素子７０は、エンハンスメント型のｎチャネルＦＥＴである。半導体素子７０は、ソースと、ドレインと、ゲートと、を有する。ドレインの電位は、ソースの電位よりも高く設定される。ゲートは、ソースとドレインとの間に電流の流れる第１状態と、ソースとドレインとの間に流れる電流が第１状態よりも小さい第２状態と、を切り替えるために用いられる。第２状態では、ソースとドレインとの間に実質的に電流が流れない。半導体素子７０は、ｐチャネル形でもよいし、デプレッション型でもよい。例えば、半導体素子７０をｐチャネル形とする場合には、ソースの電位が、ドレインの電位よりも高く設定される。
【００５２】
半導体素子７０のドレインは、整流素子６１のカソード及び整流素子６２のカソードに接続されている。すなわち、半導体素子７０のドレインは、整流素子６１、６２を介して第１電源供給経路２６ａに接続されている。半導体素子７０のソースは、整流素子６３のアノードに接続されてる。半導体素子７０のゲートは、ツェナーダイオード６８のカソードに接続されている。また、半導体素子７０のゲートは、抵抗６４を介して整流回路３０の高電位端子３０ｃに接続されている。
【００５３】
整流素子６３のカソードは、コンデンサ６５の一端及びレギュレータ６７の入力端子に接続されている。レギュレータ６７の出力端子は、制御部２２及びコンデンサ６６の一端に接続されている。
【００５４】
交流電圧ＶＣＴの印加にともなう各極性の電流は、整流素子６１を介して半導体素子７０のドレインに流れる。これにより、半導体素子７０のドレインには、交流電圧ＶＣＴを全波整流した脈流の電圧が印加される。
【００５５】
ツェナーダイオード６８のカソードには、抵抗６４及び整流素子６１を介して、脈流の電圧が印加される。これにより、半導体素子７０のゲートには、ツェナーダイオード６８の降伏電圧に応じた実質的に一定の電圧が印加される。これにともない、半導体素子７０のドレイン−ソース間に、実質的に一定の電流が流れる。このように、半導体素子７０は、定電流素子として機能する。半導体素子７０は、配線部２７に流れる電流を調整する。
【００５６】
コンデンサ６５は、半導体素子７０のソースから整流素子６３を介して供給される脈流の電圧を平滑化し、脈流の電圧を直流電圧に変換する。レギュレータ６７は、入力された直流電圧から実質的に一定の直流の駆動電圧ＶＤＤを生成し、制御部２２に出力する。コンデンサ６６は、例えば、駆動電圧ＶＤＤのノイズの除去などに用いられる。これにより、駆動電圧ＶＤＤが制御部２２に供給される。
【００５７】
また、制御用電源部２３には、抵抗７１、７２が、さらに設けられている。抵抗７１の一端は、整流素子６１、６２のカソードに接続されている。抵抗７１の他端は、抵抗７２の一端に接続されている。抵抗７２の他端は、整流回路３０の低電位端子３０ｄに接続されている。抵抗７１、７２の接続点は、制御部２２に接続されている。これにより、抵抗７１、７２の分圧比に応じた電圧が、交流電圧ＶＣＴの絶対値を検出するための検出電圧として制御部２２に入力される。
【００５８】
制御部２２は、例えば、検出電圧を基に、交流電圧ＶＣＴの導通角制御の有無や、導通角制御の種類（位相制御か逆位相制御か）の検出を行う。そして、制御部２２は、導通角制御が行われている場合に、その導通角の検出を行う。制御部２２は、この検出結果に基づいて、調光信号ＤＭＳを生成し、その調光信号ＤＭＳをフィードバック回路２５に入力する。制御部２２は、例えば、検出した導通角に対応するＰＷＭ信号を調光信号ＤＭＳとしてフィードバック回路２５に入力する。
【００５９】
電流調整部２４は、抵抗７５、７６と、スイッチング素子７８と、を有している。スイッチング素子７８には、例えば、ＦＥＴやＧａＮ−ＨＥＭＴなどが用いられる。以下では、スイッチング素子７８をＦＥＴとして説明を行う。
【００６０】
抵抗７５の一端は、半導体素子７０のソースに接続されている。抵抗７５の他端は、スイッチング素子７８のドレインに接続されている。スイッチング素子７８のゲートは、抵抗７６を介して制御部２２に接続されている。制御部２２は、スイッチング素子７８のゲートに制御信号ＣＧＳを入力する。スイッチング素子７８には、例えば、ノーマリオフ形が用いられる。例えば、制御部２２から入力される制御信号ＣＧＳをＬｏからＨｉに切り替えることで、スイッチング素子７８が、オフ状態からオン状態に変化する。
【００６１】
スイッチング素子７８をオン状態にすると、例えば、整流素子６１、６２、及び半導体素子７０を介して、第１電源供給経路２６ａを流れる電流の一部が、分岐経路２８に流れる。すなわち、スイッチング素子７８をオン状態にすることによって、電流調整部２４が導通状態となり、スイッチング素子７８をオフ状態にすることによって、電流調整部２４が非導通状態となる。
【００６２】
制御部２２は、例えば、交流電圧ＶＣＴの導通角制御の有無及びその種類の検出結果に応じて制御信号ＣＧＳを生成する。例えば、位相制御方式の導通角制御が行われている場合には、所定値以下の交流電圧ＶＣＴにおいて、トライアックをオンするために必要な保持電流を電流調整部２４（分岐経路２８）に流すようにする。これにより、例えば、調光器３の動作を安定させることができる。一方、逆位相制御方式の導通角制御が行われている場合には、導通状態から遮断状態に切り替わるタイミングにおいて、フィルタコンデンサ３６などに蓄積された電荷を電流調整部２４に引き抜くようにする。これにより、例えば、導通角の検出精度をより高めることができる。
【００６３】
フィードバック回路２５は、差動増幅回路８０と、半導体素子１００と、を有する。差動増幅回路８０は、例えば、オペアンプ８１と、抵抗８２と、コンデンサ８３と、を有する。抵抗８２は、オペアンプ８１の出力端子と、オペアンプ８１の反転入力端子と、の間に接続されている。コンデンサ８３は、抵抗８２に対して並列に接続されている。すなわち、差動増幅回路８０は、負帰還を有する。
【００６４】
オペアンプ８１の非反転入力端子は、抵抗８４の一端に接続されている。抵抗８４の他端は、電流検出抵抗２１と出力端子８との間に接続されている。これにより、オペアンプ８１の非反転入力端子には、照明負荷１２に流れる電流に応じた電圧が、検出電圧として入力される。
【００６５】
オペアンプ８１の非反転入力端子は、照明負荷１２の低電位側の端部に接続される。これにより、照明光源１６に流れる電流を検出することができる。照明光源１６にＬＥＤなどの発光素子が用いられている場合、照明光源１６の電圧は、順方向降下電圧に応じて実質的に一定である。従って、照明光源１６にＬＥＤなどの発光素子が用いられている場合には、照明負荷１２の低電位側の端部に接続することで、照明光源１６に流れる電流を適切に検出することができる。
【００６６】
オペアンプ８１の反転入力端子は、抵抗９０の一端に接続されている。抵抗９０の他端は、抵抗９１の一端、及び、コンデンサ９２の一端に接続されている。コンデンサ９２の他端は、整流回路３０の低電位端子３０ｄに接続されている。抵抗９１の他端は、制御部２２に接続されている。このように、オペアンプ８１の反転入力端子は、抵抗９０、９１を介して制御部２２に接続されている。オペアンプ８１の反転入力端子には、制御部２２からの調光信号ＤＭＳが入力される。
【００６７】
例えば、ＰＷＭ信号をコンデンサ９２で平滑化した直流の電圧が、調光信号ＤＭＳとしてオペアンプ８１の反転入力端子に入力される。オペアンプ８１の反転入力端子には、例えば、調光器３の調光度に応じた直流の電圧が、調光信号ＤＭＳとして入力される。調光信号ＤＭＳに電圧レベルは、非反転入力端子に入力される検出電圧の電圧レベルに対応して設定される。より詳しくは、例えば、所望の調光度に対応する調光信号ＤＭＳの電圧レベルが、その調光度に対応する輝度で照明光源１６が発光した場合の検出電圧の電圧レベルと実質的に同じとなるように設定される。
【００６８】
このように、オペアンプ８１の非反転入力端子には、照明光源１６に流れる電流に対応する検出電圧が入力され、オペアンプ８１の反転入力端子には、調光信号ＤＭＳが入力される。これにより、オペアンプ８１の出力端子からは、検出電圧と調光信号ＤＭＳとの差分に対応した信号が出力される。検出電圧が調光信号ＤＭＳよりも大きくなるに従って、オペアンプ８１の出力も大きくなる。すなわち、照明光源１６に過電流が流れている場合に、オペアンプ８１の出力が大きくなる。このように、この例においては、調光信号ＤＭＳが基準値として用いられる。なお、調光を行わない場合には、基準値となる実質的に一定の直流電圧を、オペアンプ８１の反転入力端子に入力してもよい。
【００６９】
この例において、半導体素子１００は、ｎｐｎトランジスタである。半導体素子１００は、ノーマリオフ形の素子である。半導体素子１００は、ｐｎｐトランジスタやＦＥＴなどでもよい。半導体素子１００は、ノーマリオン形でもよい。
【００７０】
半導体素子１００のコレクタは、分圧抵抗４７の一端に接続されている。半導体素子１００のコレクタは、分圧抵抗４７を介して電流制御素子４１のゲートに電気的に接続される。半導体素子１００のエミッタは、抵抗１０１の一端に接続されている。抵抗１０１の他端は、整流回路３０の低電位端子３０ｄに接続されている。これにより、半導体素子１００のエミッタは、電流制御素子４１のソースの電位よりも低い電位に設定される。半導体素子１００のベースは、オペアンプ８１の出力端子に接続されている。これにより、半導体素子１００のエミッタ−コレクタ間に流れる電流は、オペアンプ８１からの出力によって制御される。
【００７１】
半導体素子１００は、コレクタとエミッタとの間に電流が流れる第３状態と、コレクタとエミッタとの間に流れる電流が第３状態よりも小さい第４状態と、を有する。第３状態は、例えば、オン状態であり、第４状態は、例えば、オフ状態である。第３状態は、オン状態に限らない。第４状態は、オフ状態に限らない。第３状態は、第４状態よりも相対的に流れる電流が大きいような任意の状態でよい。第４状態は、第３状態よりも相対的に流れる電流が小さいような任意の状態でよい。
【００７２】
この例では、半導体素子１００が、ノーマリオフ形であり、ベースの電位をエミッタの電位よりも高くすることによって、第４状態から第３状態に変化する。例えば、ベースの電位をエミッタの電位よりも高くすることによって、半導体素子１００が、オフ状態からオン状態に変化する。
【００７３】
前述のように、検出電圧が調光信号ＤＭＳよりも大きい場合に、オペアンプ８１の出力が大きくなる。従って、半導体素子１００は、例えば、検出電圧が調光信号ＤＭＳよりも大きい場合に、オン状態となり、検出電圧が調光信号ＤＭＳ以下の場合に、オフ状態となる。例えば、検出電圧が調光信号ＤＭＳよりも大きくなるに従って、半導体素子１００のエミッタ−コレクタ間の電流が大きくなる。
【００７４】
また、半導体素子１００のコレクタは、抵抗１０２の一端、及び、コンデンサ１０３の一端に、さらに接続されている。抵抗１０２の他端は、半導体素子１００のベースに接続されている。コンデンサ１０３の他端は、整流回路３０の低電位端子３０ｄに接続されている。半導体素子１００のベースは、抵抗１０４の一端に、さらに接続されている。抵抗１０４の他端は、整流回路３０の低電位端子３０ｄに接続されている。このように、フィードバック回路２５の基準電位は、整流回路３０の低電位端子３０ｄの電位に設定される。すなわち、フィードバック回路２５の基準電位は、ＤＣ−ＤＣコンバータ２０ｂの基準電位と共通である。フィードバック回路２５の基準電位は、ＤＣ−ＤＣコンバータ２０ｂの基準電位と実質的に同じである。
【００７５】
［第１の実施形態の作用］
次に、第１の実施形態に係る照明装置１０及び電源装置１４の作用について説明する。  まず、調光器３の調光度がほぼ１００％に設定され、入力される電源電圧ＶＩＮがほぼそのまま伝達される場合、すなわちＤＣ−ＤＣコンバータ２０ｂに最も高い第１直流電圧ＶＤＣ１が入力される場合について説明する。
【００７６】
電源電圧ＶＩＮが、電源装置１４に供給されるとき、出力素子４０及び電流制御素子４１は、ノーマリオン形の素子であるため、いずれもオンしている。そして、出力素子４０、電流制御素子４１、インダクタ４３、出力コンデンサ４８の経路で電流が流れ、出力コンデンサ４８が充電される。出力コンデンサ４８の両端の電圧、すなわち出力端子７、８の間の電圧は、第２直流電圧ＶＤＣ２として、照明負荷１２の照明光源１６に供給される。なお、出力素子４０及び電流制御素子４１がオンしているため、整流素子４２には、逆電圧が印加される。整流素子４２には、電流は流れない。
【００７７】
第２直流電圧ＶＤＣ２が所定電圧に達すると、照明光源１６に電流が流れ、照明光源１６が点灯する。このとき、出力素子４０、電流制御素子４１、インダクタ４３、出力コンデンサ４８及び照明光源１６の経路で電流が流れる。例えば、照明光源１６がＬＥＤの場合、この所定電圧は、ＬＥＤの順方向降下電圧であり、照明光源１６に応じて定まる。また、照明光源１６が消灯した場合、電流が流れないため、出力コンデンサ４８は、出力電圧の値を保持する。
【００７８】
ＤＣ−ＤＣコンバータ２０ｂに入力される第１直流電圧ＶＤＣ１は、第２直流電圧ＶＤＣ２と比較して十分に高い。すなわち、入出力間の電位差ΔＶは、十分に大きい。このため、インダクタ４３を流れる電流は増加していく。駆動巻線４４は、インダクタ４３と磁気結合しているため、駆動巻線４４には、結合コンデンサ４５側を高電位とする極性の起電力が誘起される。そのため、出力素子４０のゲートには、結合コンデンサ４５を介してソースに対して正の電位が供給され、出力素子４０はオンの状態を維持する。
【００７９】
電流制御素子４１を流れる電流が上限値を超えると、電流制御素子４１のドレイン−ソース間電圧は、急激に上昇する。そのため、出力素子４０のゲート−ソース間電圧がしきい値電圧よりも低くなり、出力素子４０はオフする。上限値は、電流制御素子４１の飽和電流値であり、電流制御素子４１のゲートに入力される電位により規定される。電流制御素子４１のゲート電位は、バイアス抵抗４９を介して分圧抵抗４６、４７に供給される直流電圧、照明光源１６の電圧、分圧抵抗４６、４７の分圧比、及び、半導体素子１００のエミッタ−コレクタ間の電流によって設定される。なお、上記のとおり、電流制御素子４１のゲート電位は、ソースに対して負電位のため、飽和電流値を適正値に制限することができる。
【００８０】
インダクタ４３は、整流素子４２、出力コンデンサ４８及び照明負荷１２の経路で電流を流し続ける。このとき、インダクタ４３は、エネルギーを放出するため、インダクタ４３の電流は、減少していく。このため、駆動巻線４４には、結合コンデンサ４５側を低電位とする極性の起電力が誘起される。出力素子４０のゲートには、結合コンデンサ４５を介してソースに対して負の電位が供給され、出力素子４０はオフの状態を維持する。
【００８１】
インダクタ４３に蓄積されていたエネルギーがゼロになると、インダクタ４３を流れる電流はゼロになる。駆動巻線４４に誘起される起電力の方向が再び反転し、結合コンデンサ４５側を高電位とする起電力が誘起される。これにより、出力素子４０のゲートにソースよりも高い電位が供給され、出力素子４０が再びオンする。これにより、上記の所定電圧に達した状態に戻る。
【００８２】
以後、上記の動作を繰り返す。これにより、出力素子４０のオン及びオフへの切替が自動的に繰り返されて、照明光源１６には電源電圧ＶＩＮを降下した第２直流電圧ＶＤＣ２が供給される。すなわち、電源装置１４においては、出力素子４０のスイッチング周波数が、分圧抵抗４６、４７及びフィードバック回路２５によって設定される。また、照明光源１６に供給される電流は、電流制御素子４１により上限値の制限された定電流となる。そのため、照明光源１６を安定に点灯させることができる。
【００８３】
フィードバック回路２５の差動増幅回路８０は、照明光源１６に流れる電流に対応する検出電圧と、調光信号ＤＭＳとの差に応じて、半導体素子１００のベース電位を変化させる。差動増幅回路８０は、例えば、照明光源１６に過電流が流れ、調光信号ＤＭＳの電圧レベルに対して、検出電圧の電圧レベルが所定値以上高い場合に、半導体素子１００のベースに高い電位を設定し、半導体素子１００を実質的にオン状態とする。
【００８４】
半導体素子１００がオン状態になると、電流制御素子４１のゲート電位が、例えば、整流回路３０の低電位端子３０ｄに設定される。すなわち、電流制御素子４１のゲート電位に負電位が設定され、電流制御素子４１がオフ状態になる。これにより、照明光源１６に流れる電流が小さくなり、照明光源１６に過電流が流れることが抑制される。このように、この例では、フィードバック回路２５が、検出電圧と調光信号ＤＭＳとを基に、ＤＣ−ＤＣコンバータ２０ｂをフィードバック制御する。
【００８５】
調光器３の調光度が１００％よりも小さい値に設定され、入力される交流電圧ＶＣＴが導通角制御されて伝達される場合、すなわちＤＣ−ＤＣコンバータ２０ｂに高い第１直流電圧ＶＤＣ１が入力される場合についても、出力素子４０が発振を継続できる場合は、上記と同様である。調光器３の調光度に応じて、ＤＣ−ＤＣコンバータ２０ｂに入力される第１直流電圧ＶＤＣ１の値が変化して、出力電流の平均値を制御することができる。従って、調光度に応じて、照明負荷１２の照明光源１６を調光することができる。
【００８６】
また、調光器３の調光度がさらに小さい値に設定される場合、すなわちＤＣ−ＤＣコンバータ２０ｂに入力される第１直流電圧ＶＤＣ１がさらに低い場合には、出力素子４０がオンしてもインダクタ４３の両端の電位差が小さいため、インダクタ４３を流れる電流が増加することができない。したがって、出力素子４０は、オフの状態にならず、一定の直流電流を出力する。すなわち、電源装置１４は、調光器３の調光度が小さい場合、すなわち、入出力間の電位差ΔＶが小さい場合、シリーズレギュレータのような動作をする。
【００８７】
このように、電源装置１４は、電位差ΔＶが所定値よりも大きいとスイッチング動作し、電位差ΔＶが小さいと、シリーズレギュレータのような動作をする。電位差ΔＶが大きい場合は、電位差ΔＶと電流との積が大きく、シリーズレギュレータの動作を行うと損失が大きくなる。従って、電位差ΔＶが大きい場合に、スイッチング動作をすることは、低消費電力化に適する。また、電位差ΔＶが小さい場合は、損失は小さいため、シリーズレギュレータとして動作をすることは問題ない。
【００８８】
また、電源装置１４では、電位差ΔＶが所定値よりも小さいときは、出力素子４０はオフの状態にならずにオンの状態を継続したまま電流が振動して、電流の平均値で照明負荷１２の照明光源１６を点灯させる。また、電位差ΔＶがさらに小さいときは、出力素子４０は、オンの状態を継続したまま、直流電流を照明負荷１２に出力して照明光源１６を点灯させる。その結果、電源装置１４では、出力電流をゼロまで連続的に変化させることができる。例えば、照明装置１０において、照明負荷１２の照明光源１６をスムーズに消灯させることができる。
【００８９】
電源装置１４では、電位差ΔＶに応じて、出力素子４０のスイッチング動作時における最大値から、出力素子４０のオンの状態を継続したまま直流電流を出力する際の最小値まで出力電流を連続的に変化させることができる。例えば、照明装置１０において、照明光源１６を連続的に０〜１００％の範囲で調光することができる。
【００９０】
図３は、第１の実施形態に係る電源装置の動作の一部を模式的に表すフローチャート図である。  
図３に表したように、電源装置１４において、出力素子４０の動作に異常が発生し、出力素子４０に流れる電流が大きくなると、照明負荷１２や電流検出抵抗２１に流れる電流も増大する。電流検出抵抗２１に流れる電流が増大すると、電流検出抵抗２１の温度が上昇する。そして、出力素子４０及び照明負荷１２に流れる電流が所定値以上になると、電流検出抵抗２１が熱的に破壊され、出力素子４０及び照明負荷１２に流れる電流が遮断される。
【００９１】
すなわち、電流制御素子４１の耐熱温度は、出力素子４０の耐熱温度と実質的に同じであるが、電流検出抵抗２１の耐熱温度は、出力素子４０または電流制御素子４１の耐熱温度よりも低いので、出力素子４０の異常などによって出力素子４０及び照明負荷１２に定格以上の電流が流れた場合、温度の上昇により、出力素子４０よりも先に電流検出抵抗２１が破壊される。電流検出抵抗２１は、熱により開放破壊される。
【００９２】
このように、電流検出抵抗２１は、出力素子４０及び照明負荷１２に流れる電流が所定値以上になった場合に、熱的に破壊され、出力素子４０及び照明負荷１２に流れる電流を遮断する。なお、出力素子４０及び照明負荷１２に流れる電流の所定値とは、例えば、電流検出抵抗２１の温度が電流検出抵抗２１の耐熱温度に達する電流値である。
【００９３】
なお、出力素子４０の耐熱温度は、例えば、配線基板１１０の耐熱温度よりも高く、電流検出抵抗２１の耐熱温度は、配線基板１１０の耐熱温度よりも低い。電流検出抵抗２１の耐熱温度は、例えば、１００℃以上３００℃以下である。
【００９４】
［第１の実施形態の効果］
このように、本実施形態に係る電源装置１４では、電流検出抵抗２１の耐熱温度を出力素子４０の耐熱温度よりも低くし、出力素子４０及び照明負荷１２に流れる電流が所定値以上になった際に、電流検出抵抗２１を熱的に破壊して、出力素子４０及び照明負荷１２に流れる電流を遮断する。これにより、本実施形態に係る電源装置１４では、出力素子４０などの異常時においても、ノーマリオン形の出力素子４０に電流が流れ続けてしまうことを抑制することができる。例えば、回路の異常発熱などを抑制することができる。照明装置１０及び電源装置１４の安全性を高めることができる。
【００９５】
また、電源装置１４では、フィードバック回路２５を照明負荷１２の低電位側の端部に接続し、照明光源１６に流れる電流を検出し、その検出結果に応じてＤＣ−ＤＣコンバータ２０ｂの動作をフィードバック制御している。照明光源１６の電圧は、電源電圧ＶＩＮや交流電圧ＶＣＴなどの入力電圧が歪んでも、ある程度安定する。従って、上記のように、フィードバック回路２５を照明負荷１２の低電位側の端部に接続して照明光源１６に流れる電流を検出することにより、例えば、電流の検出精度を高めることができる。例えば、過電流が発生した場合に、照明光源１６に流れる電流を即座に停止させることができる。さらには、ノーマリオン形の電流制御素子４１のゲートに対して、負電位を容易に設定することもできる。これにより、電源装置１４では、より確実な電流制御及び過電流保護を行うことができる。
【００９６】
さらに、電源装置１４では、フィードバック回路２５の基準電位が、ＤＣ−ＤＣコンバータ２０ｂの基準電位と共通である。これにより、例えば、出力電圧である第２直流電圧ＶＤＣ２の変動を抑制することができる。
【００９７】
［第１の実施形態の変形例］
図４（ａ）及び図４（ｂ）は、第１の実施形態に係る電源装置の一部を表す模式図である。  
図４（ａ）は、模式的断面図であり、図４（ｂ）は、模式的平面図である。図４（ａ）及び図４（ｂ）は、それぞれ異なる変形例を表す。
【００９８】
図４（ａ）に表したように、電流検出抵抗２１は、本体部２１ａと、本体部２１ａの両端に接続された一対の導線部２１ｂと、を有する。一対の導線部２１ｂは、例えば、リード線である。この電流検出抵抗２１を配線基板１１０に実装する場合、図４（ａ）に表したように、本体部２１ａを配線基板１１０から浮かせる。
【００９９】
このように、電流検出抵抗２１を配線基板１１０から浮かせる。これにより、例えば、電流検出抵抗２１で発生した熱が、配線基板１１０などに逃げてしまうことを抑制することができる。例えば、出力素子４０及び照明負荷１２に流れる電流が増大した際に、電流量に応じて電流検出抵抗２１を適切に破壊することができる。電流検出抵抗２１の熱的な破壊の制御性を高めることができる。照明装置１０及び電源装置１４の安全性をより高めることができる。
【０１００】
図４（ｂ）に表したように、配線基板１１０は、電流検出抵抗２１の一対の導線部２１ｂのそれぞれと電気的に接続される一対の配線１１０ａを有する。この際、配線１１０ａをなるべく細く形成する。例えば、配線１１０ａの幅Ｗ１は、電流検出抵抗２１の幅Ｗ２よりも狭くする。
【０１０１】
これにより、図４（ａ）の場合と同様に、電流検出抵抗２１から熱が逃げてしまうことを抑制することができる。電流検出抵抗２１の熱的な破壊の制御性を高めることができる。なお、配線１１０ａの幅Ｗ１とは、例えば、配線１１０ａの延在方向に対して垂直な方向の長さである。電流検出抵抗２１の幅Ｗ２とは、例えば、平面視において電流検出抵抗２１の短手方向の長さである。
【０１０２】
図４（ｂ）では、電流検出抵抗２１として、チップ型の抵抗素子を図示している。このように、電流検出抵抗２１は、リード線型の抵抗素子でもよいし、チップ型の抵抗素子でもよいし、他の構造の抵抗素子でもよい。
【０１０３】
（第２の実施形態）  
［第２の実施形態の構成］
図５は、第２の実施形態に係る電源装置の一部を模式的に表す断面図である。  
なお、上記第１の実施形態と機能・構成上実質的に同じものについては、同符号を付し、詳細な説明は省略する。  
図５に表したように、この例において、インダクタ４３及び駆動巻線４４は、配線基板１１０を挟んで出力素子４０と対向する位置に配置される。これにより、インダクタ４３及び駆動巻線４４は、出力素子４０と熱的に結合する。
【０１０４】
インダクタ４３の耐熱温度及び駆動巻線４４の耐熱温度は、出力素子４０の耐熱温度よりも低い。また、電流検出抵抗２１の耐熱温度は、インダクタ４３の耐熱温度及び駆動巻線４４の耐熱温度よりも低い。
【０１０５】
［第２の実施形態の作用］
図６は、第２の実施形態に係る電源装置の動作の一部を模式的に表すフローチャート図である。  
図６に表したように、この例において、出力素子４０の動作に異常が発生し、出力素子４０に流れる電流が大きくなると、出力素子４０の温度が上昇する。この例では、インダクタ４３及び駆動巻線４４が、出力素子４０と熱的に結合している。このため、出力素子４０の温度が上昇すると、インダクタ４３及び駆動巻線４４の温度も上昇する。
【０１０６】
インダクタ４３及び駆動巻線４４の耐熱温度は、出力素子４０の耐熱温度よりも低い。このため、出力素子４０が熱によって故障するよりも前に、インダクタ４３及び駆動巻線４４の少なくとも一方が熱によって故障する。例えば、インダクタ４３及び駆動巻線４４の少なくとも一方に、層間短絡が発生する。
【０１０７】
インダクタ４３に層間短絡が発生した場合、駆動巻線４４の巻数に対するインダクタ４３の巻数の割合が小さくなる。例えば、駆動巻線４４の巻数が１、インダクタ４３の巻数がＮである場合、巻数比が１：１に近づく。インダクタ４３と駆動巻線４４との巻数比が小さくなる。このため、例えば、出力素子４０のゲートに過大な電圧が印加され、出力素子４０のゲートが故障する。出力素子４０は、ノーマリオン形である。従って、出力素子４０のゲートが故障すると、出力素子４０がオン状態に保持され、出力素子４０に電流が流れ続ける。すなわち、照明負荷１２や電流検出抵抗２１に電流が流れ続ける。
【０１０８】
一方、駆動巻線４４に層間短絡が発生した場合、駆動巻線４４の巻数に対するインダクタ４３の巻数の割合が大きくなる。例えば、巻数比がＮ：１よりも大きくなる。このため、例えば、出力素子４０のゲートに印加される電圧が小さくなり、出力素子４０がオフ状態にならなくなる。従って、インダクタ４３が層間短絡した場合と同様に、出力素子４０がオン状態に保持され、出力素子４０、照明負荷１２、電流検出抵抗２１などに電流が流れ続ける。
【０１０９】
電流検出抵抗２１に電流が流れ続けると、電流検出抵抗２１の温度が上昇する。これにより、上記第１の実施形態と同様に、電流検出抵抗２１が熱的に破壊され、出力素子４０及び照明負荷１２に流れる電流が遮断される。
【０１１０】
［第２の実施形態の効果］
このように、本実施形態に係る電源装置１４では、インダクタ４３及び駆動巻線４４を出力素子４０と熱的に結合させ、出力素子４０の動作に異常が生じた場合に、インダクタ４３及び駆動巻線４４の少なくとも一方を故障させることにより、出力素子４０をオン状態に保持する。これにより、例えば、出力素子４０の動作が不安定な場合などに、電流検出抵抗２１を積極的に破壊し、照明装置１０及び電源装置１４を安全に停止させることができる。例えば、回路の異常発熱などをより適切に抑制することができる。照明装置１０及び電源装置１４の安全性をより高めることができる。
【０１１１】
なお、この例では、インダクタ４３及び駆動巻線４４を出力素子４０と熱的に結合させている。出力素子４０と熱的に結合させるのは、インダクタ４３及び駆動巻線４４の一方のみでもよい。
【０１１２】
［第２の実施形態の変形例］
図７（ａ）〜図７（ｃ）は、第２の実施形態に係る電源装置の一部を模式的に表す断面図である。  
図７（ａ）〜図７（ｃ）は、それぞれ異なる変形例を表す。
【０１１３】
図７（ａ）に表したように、インダクタ４３及び駆動巻線４４は、配線基板１１０の同一面上に隣接して配置することにより、出力素子４０と熱的に結合させてもよい。
【０１１４】
図７（ｂ）に表したように、出力素子４０とインダクタ４３と駆動巻線４４とを覆う被覆部材１１２をさらに設けてもよい。被覆部材１１２は、熱伝導性を有する。被覆部材１１２は、高い熱伝導率を有する。被覆部材１１２は、例えば、絶縁性をさらに有する。被覆部材１１２には、例えば、樹脂材料が用いられる。被覆部材１１２には、例えば、シリコーン樹脂が用いられる。
【０１１５】
このように、出力素子４０とインダクタ４３と駆動巻線４４とを被覆部材１１２で覆うことにより、出力素子４０とインダクタ４３と駆動巻線４４とを熱的に結合させてもよい。この場合、インダクタ４３及び駆動巻線４４は、必ずしも出力素子４０と隣接していなくてもよい。
【０１１６】
図７（ｃ）に表したように、インダクタ４３及び駆動巻線４４に代えて、電流検出抵抗２１を出力素子４０と熱的に結合させてもよい。これにより、例えば、電流検出抵抗２１の熱的な破壊の制御性を高めることができる。
【０１１７】
図７（ｃ）では、電流検出抵抗２１を出力素子４０と対向させて配置することにより、熱的に結合させている。電流検出抵抗２１と出力素子４０との熱的な結合は、隣接して配置させるものでもよいし、被覆部材１１２を介するものでもよい。
【０１１８】
（第３の実施形態）  
図８は、第３の実施形態に係る電源装置の動作の一部を模式的に表すフローチャート図である。  
図８に表したように、この例において、出力素子４０の動作に異常が発生し、出力素子４０に流れる電流が大きくなると、インダクタ４３に流れる電流も増大する。インダクタ４３に流れる電流が増大すると、インダクタ４３の温度が上昇する。そして、出力素子４０及び照明負荷１２に流れる電流が所定値以上になると、インダクタ４３が熱的に破壊され、出力素子４０及び照明負荷１２に流れる電流が遮断される。
【０１１９】
このように、インダクタ４３を熱的に破壊することにより、出力素子４０及び照明負荷１２に流れる電流を遮断してもよい。このような構成は、例えば、上記の第２の実施形態で説明したように、インダクタ４３を出力素子４０と熱的に結合させ、インダクタ４３の耐熱温度を出力素子４０の耐熱温度よりも低くすることによって実現できる。例えば、出力素子４０に所定値以上の電流が流れた際に、インダクタ４３の導線が溶断し、開放状態で破壊されるように、インダクタ４３の導線の太さを設定する。この例においても、上記各実施形態と同様に、出力素子４０などの異常時に、ノーマリオン形の出力素子４０に電流が流れ続けてしまうことを抑制することができる。
【０１２０】
以上、具体例を参照しつつ実施形態について説明したが、それらに限定されるものではなく、種々の変形が可能である。
【０１２１】
例えば、出力素子４０及び電流制御素子４１はＧａＮ系ＨＥＭＴには限定されない。例えば、半導体基板に炭化珪素（ＳｉＣ）や窒化ガリウム（ＧａＮ）やダイヤモンドのようなワイドバンドギャップを有する半導体（ワイドバンドギャップ半導体）を用いて形成した半導体素子でもよい。ここで、ワイドバンドギャップ半導体とは、バンドギャップが約１．４ｅＶのヒ化ガリウム（ＧａＡｓ）よりもバンドギャップの広い半導体をいう。例えば、バンドギャップが１．５ｅＶ以上の半導体、リン化ガリウム（ＧａＰ、バンドギャップ約２．３ｅＶ）、窒化ガリウム（ＧａＮ、バンドギャップ約３．４ｅＶ）、ダイアモンド（Ｃ、バンドギャップ約５．２７ｅＶ）、窒化アルミニウム（ＡｌＮ、バンドギャップ約５．９ｅＶ）、炭化ケイ素（ＳｉＣ）などが含まれる。このようなワイドバンドギャップ半導体素子は、耐圧を等しくする場合、シリコン半導体素子よりも小さくできるために寄生容量が小さく、高速動作が可能なため、スイッチング周期を短くすることができ、巻線部品やコンデンサなどの小形化が可能となる。
【０１２２】
上記実施形態では、出力素子４０と電流制御素子４１とをカスコード接続し、出力素子４０でスイッチングを行い、電流制御素子４１で電流の制御を行っている。これに限ることなく、例えば、電流制御素子４１のみで、スイッチングと電流の制御とを行ってもよい。この場合には、電流制御素子４１に流れる電流を基に、電流検出抵抗２１またはインダクタ４３を熱的に破壊すればよい。
【０１２３】
なお、照明光源１６はＬＥＤに限らず、例えば、有機ＥＬ（Electro-Luminescence）やＯＬＥＤ（Organic light-emitting diode）などでもよい。照明負荷１２には、複数の照明光源１６が直列又は並列に接続されていてもよい。
【０１２４】
上記実施形態では、直流負荷として、照明負荷１２を示しているが、これに限ることなく、例えば、ヒータなどの他の直流負荷でもよい。上記実施形態では、電源装置として、照明装置１０に用いられる電源装置１４を示しているが、これに限ることなく、直流負荷に対応する任意の電源装置でよい。
【０１２５】
本発明のいくつかの実施形態および実施例を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【０１２６】
２…交流電源、  ３…調光器、  １０…照明装置、  １２…照明負荷、  １４…電源装置、  １６…照明光源、  ２０…電力変換部、  ２０ａ…ＡＣ−ＤＣコンバータ、  ２０ｂ…ＤＣ−ＤＣコンバータ、  ２１…電流検出抵抗、  ２２…制御部、  ２３…制御用電源部、  ２４…電流調整部、  ２５…フィードバック回路、  ２６ａ…第１電源供給経路、  ２６ｂ…第２電源供給経路、  ２７…配線部、  ２８…分岐経路、  ３０…整流回路、  ３２…平滑コンデンサ、  ３４…インダクタ、  ３６…フィルタコンデンサ、  ４０…出力素子、  ４１…電流制御素子、  ４２…整流素子、  ４３…インダクタ、  ４４…駆動巻線、  ４５…結合コンデンサ、  ４６、４７…分圧抵抗、  ４８…出力コンデンサ、  ４９…バイアス抵抗、５０…半導体素子、  ６１〜６３…整流素子、  ６４…抵抗、  ６５、６６…コンデンサ、  ６７…レギュレータ、  ６８…ツェナーダイオード、  ７０…半導体素子、  ７１、７２…抵抗、  ８０…差動増幅回路、  ８１…オペアンプ、  ８２、８４、９０、９１…抵抗、  ８３、９２…コンデンサ、  １００…半導体素子、  １０１、１０２、１０４…抵抗、  １０３…コンデンサ、  １１０…配線基板、  １１２…被覆部材
【図１】
0006394343.tif 000002
【図２】
0006394343.tif 000003
【図３】
0006394343.tif 000004
【図４】
0006394343.tif 000005
【図５】
0006394343.tif 000006
【図６】
0006394343.tif 000007
【図７】
0006394343.tif 000008
【図８】
0006394343.tif 000009